(57)【要約】【課題】室内光の受光により電気エネルギを発生させ得るスラット開閉装置を提供する。【解決手段】スラット開閉装置は、光が透過できる透光窓１０をもつ構造物１に配設される基部２と、複数のスラット４を一方向に並設して形成され少なくとも一枚のスラット４を基部２に対して回動させる回動スラット４Ｒとし、構造物１の透光窓１０を閉鎖可能なスラット群３と、回動スラット４Ｒを回動させる作動部７とを有する。回動スラット４Ｒは、受光に伴い電気エネルギを発生させるソーラー電池６を有する。回動スラット４Ｒは、スラット群３が透光窓１０を被覆しているときにおいて、ソーラー電池６が室内光を受光するようにソーラー電池６が室内５２側に指向する位置に設けられている。【選択図】図１
2011064036.tif 000002
【特許請求の範囲】
【請求項１】
光が透過できる透光部をもつ構造物に配設される基部と、
前記基部に保持され、複数のスラットを一方向に並設して形成され、少なくとも一枚の前記スラットを前記基部に対して回動させる回動スラットとし、前記構造物の前記透光部を被覆可能なスラット群と、
前記回動スラットを回動させる作動部とを具備しており、
前記回動スラットは、受光に伴い電気エネルギを発生させるソーラー電池を備えており、前記回動スラットは、前記スラット群が前記透光部を被覆しているときにおいて、前記ソーラー電池が室内光を受光するように前記ソーラー電池が室内側に指向する位置に設けられているスラット開閉装置。
【請求項２】
請求項１において、前記回動スラットは、前記スラット群が前記構造物の前記透光部を被覆しているときにおいて、前記ソーラー電池が前記室内光を受光するように前記ソーラー電池が室内側に指向する第１位置と、回動に伴い前記ソーラー電池が室外光を受光するように前記ソーラー電池が前記室外側に指向する第２位置とに切替可能に設けられているスラット開閉装置。
【請求項３】
請求項１または２において、前記回動スラットは、前記回動スラットの回動中心となる回動軸と、前記回動スラットのスラット最大回動量となる回動端とをもち、前記スラット最大回動量となる前記回動端は回動初期において前記回動軸を中心として室内側に向けて回動するスラット開閉装置。
【請求項４】
請求項１〜３のうちの一項において、前記スラットの開閉移動を案内するガイド部が設けられており、前記ガイド部は、固定ガイド部と、前記固定ガイド部に対して室外側に向けて回動可能な回動ガイド部とを有するスラット開閉装置。
【請求項５】
請求項４において、前記ソーラー電池の回動角度θは、前記回動スラットの室外側への回動角度θ１と、前記回動ガイド部の室外側への回動角度θ２とに基づいて構成されるスラット開閉装置。
【請求項６】
請求項１〜５のうちの一項において、前記回動スラットは、前記スラット群が閉じている状態のとき室内に指向する内壁面と、室外に指向する外壁面とを有しており、前記ソーラー電池の受光面は、前記スラットの前記内壁面の延長線よりも外壁面に向けて退避しているスラット開閉装置。
【発明の詳細な説明】
【技術分野】
【０００１】
本発明はシャッタおよび／またはブラインドとして機能できるスラット群を有するスラット開閉装置に関する。
【背景技術】
【０００２】
特許文献１には、横長シート状のスラットのうち太陽光が入射する側にソーラー電池およびシート状ポリマー電池を設けたブラインド装置が開示されている。特許文献２には、横長シート状のスラットのうち太陽光が入射する側にソーラー電池を設けたブラインド装置が開示されている。特許文献３には、回転ドラムに巻き取られるフレキシブルな広面積状のフィルムにソーラー電池が組み込まれたブラインドまたはオーニングが開示されている。このものは複数のスラットを備えるスラット群を有するものではない。
【先行技術文献】
【特許文献】
【０００３】
【特許文献１】特開２００１−８２０５８号公報
【特許文献２】特開２００４−２７６６１号公報
【特許文献３】特表２００８−５２７２０２号公報
【発明の概要】
【発明が解決しようとする課題】
【０００４】
上記した従来技術によれば、室外の太陽光を受光して電気エネルギを発生させ得るものの、室内光の受光を意図したものではない。
【０００５】
本発明は上記した実情に鑑みてなされたものであり、様相１の発明は室内光の受光により電気エネルギを発生させることを意図するスラット開閉装置を提供することを課題とする。様相２の発明は、室内光の受光により電気エネルギを発生させ、且つ、室外光の受光により電気エネルギを発生させることを意図するスラット開閉装置を提供することを課題とする。
【課題を解決するための手段】
【０００６】
様相１に係るスラット開閉装置は、（ｉ）光が透過できる透光部をもつ構造物に配設される基部と、（ｉｉ）基部に保持され、複数のスラットを一方向に並設して形成され、少なくとも一枚のスラットを基部に対して回動させる回動スラットとし、構造物の透光部を被覆可能なスラット群と、（ｉｉｉ）回動スラットを回動させる作動部とを具備しており、（ｉｖ）回動スラットは、受光に伴い電気エネルギを発生させるソーラー電池を備えており、（ｖ）回動スラットは、スラット群が透光部を被覆しているときにおいて、ソーラー電池が室内光を受光するようにソーラー電池が室内側に指向する位置に設けられている。
【０００７】
スラット群が透光部を被覆しているときにおいて、回動スラットは、ソーラー電池が室内光を受光するようにソーラー電池が室内側に指向する位置に設けられている。このため回動スラットに保持されているソーラー電池は室内側に指向して、室内光を受光でき、室内光に基づいて電気エネルギを発生できる。
【０００８】
様相２に係るスラット開閉装置によれば、回動スラットは、スラット群が透光部を被覆しているときにおいて、ソーラー電池が室内光を受光するようにソーラー電池が室内側に指向する第１位置と、回動に伴いソーラー電池が室外光を受光するようにソーラー電池が室外側に指向する第２位置とに切替可能に設けられている。
【０００９】
スラット群が透光部を被覆しているときにおいて、回動スラットは、ソーラー電池が室内光を受光するようにソーラー電池が室内側に指向する第１位置に切り替えられている。このため回動スラットに保持されているソーラー電池は室内光を受光でき、電気エネルギを発生できる。また、回動スラットが回動するに伴い、回動スラットのソーラー電池が室外光を受光するように、回動スラットのソーラー電池が室外側に指向する第２位置に切り替えられる。このため回動スラットに保持されているソーラー電池は太陽光等の室外光を受光でき、電気エネルギを発生できる。
【発明の効果】
【００１０】
様相１によれば、スラット群が透光部を被覆しているときにおいて、回動スラットは、ソーラー電池が室内光を受光するようにソーラー電池が室内側に指向する位置に設けられている。このため回動スラットに保持されているソーラー電池は、室内光を受光でき、電気エネルギを発生できる。
【００１１】
様相２によれば、スラット群が透光部を被覆しているときにおいて、回動スラットは、ソーラー電池が室内光を受光するようにソーラー電池が室内側に指向する第１位置に切り替えられている。このため回動スラットに保持されているソーラー電池は室内光を受光でき、電気エネルギを発生できる。また、回動スラットが回動するに伴い、回動スラットのソーラー電池が室外光を受光するように、回動スラットのソーラー電池が室外側に指向する第２位置に切替られる。このため回動スラットに保持されているソーラー電池は太陽光等の室外光を受光でき、電気エネルギを発生できる。
【図面の簡単な説明】
【００１２】
【図１】実施形態１に係り、オーニング機能をもつシャッタ装置の斜視図である。
【図２】実施形態１に係り、透光窓を被覆して閉鎖している状態にあるスラット群を構成するスラットを示す側面図である。
【図３】実施形態１に係り、透光窓を被覆して閉鎖している状態にあるスラット群を示す側面図である。
【図４】実施形態１に係り、スラット群を構成するスラットのソーラー電池が室外光を受光できるようにスラットを回動している状態を概念的に示す側面図である。
【図５】実施形態１に係り、スラット群を構成するスラットのソーラー電池が室外光を受光できるようにスラットの回動端を回動している状態を概念的に示す要部の側面図である。
【図６】実施形態１に係り、スラット群を保持する回動ガイド部を室外側に回動させつつ、スラットのソーラー電池が室外光を受光できるようにスラットを回動ガイド部に対して回動している状態を概念的に示す側面図である。
【図７】実施形態２に係り、（Ａ）は、オーニング機能をもつシャッタ装置において、回動ガイド部を室外側に回動させている状態を概念的に示す側面図であり、（Ｂ）は、オーニング機能をもつシャッタ装置において、回動ガイド部を室内側に回動させて固定ガイド部と整合させている状態を概念的に示す側面図である。
【図８】実施形態３に係り、室外側から視認した状態のシャッタ装置を概念的に示す正面図である。
【図９】実施形態４に係り、スラットを分解して概念的に示す斜視図である。
【図１０】実施形態５に係り、スラットにソーラー電池を組み付けた状態を概念的に示す断面図である。
【図１１】従来技術に係り、スラットを巻取体にロール状に巻き取っている状態を概念的に示す断面図である。
【発明を実施するための形態】
【００１３】
本発明の一視点によれば、構造物に形成されている透光部は、光を透過できる部位であり、透明ガラス、半透明ガラス、出入り用の開口、通風用の開口を例示できる。構造物は、家屋、マンションまたはビルなどの建築物、船舶などを例示できる。スラット群は基部に保持されており、複数のスラットを一方向に並設して形成されており、構造物の透光部を被覆して閉鎖可能である。一方向は垂直方向でも良いし、水平方向でも良い。一方向が垂直方向の場合には、スラット群は垂直方向に沿って開閉移動する。一方向が水平方向の場合には、スラット群は水平方向に沿って開閉移動する。
【００１４】
スラットは当該一方向と交差する方向に沿って延設された板体またはボード等で形成できる。スラット群のうち少なくとも一枚のスラットは、基部に対して回動可能な回動スラットとされている。スラット群を構成するスラット全部を回動スラットとしても良い。スラット群を構成する所定枚数（例えば、スラット全部のうち１／２以下）のスラットのみを回動スラットとしても良い。回動スラットが回動すれば、透光空間がスラット間に形成されることが好ましい。透光部が開口であれば、透光空間は通風空間にできる。通風空間に通風されれば、スラットに保持されているソーラー電池の冷却を期待できる。作動部は回動スラットを回動とさせるものであり、モータ、流体圧シリンダ装置を有する構造でも良いし、ユーザの手作業で回動スラットを回動させる構造でも良い。
【００１５】
回動スラットは、基部に対して回動可能に設けられた回動スラット本体と、回動スラット本体に保持され受光に伴い電気エネルギを発生させるソーラー電池とを有する。ソーラー電池は、光エネルギを電気エネルギに変換するものであり、太陽電池とも呼ばれる。ソーラー電池は、公知のものを採用でき、色素増感型、有機薄膜型、シリコン型、化合物型を例示できる。シリコン型は、アモルファスシリコン型でも良いし、多結晶シリコン型でも良いし、微結晶シリコン型、多接合型、球状シリコン型、電界効果型等でも良い。ソーラー電池で発生させた電機エネルギを蓄電させるキャパシタ、蓄電池等の蓄電要素が必要に応じて設けられていることが好ましい。蓄電要素は基部またはスラットに設けることができる。
【００１６】
本発明の一視点によれば、回動スラットを回動できるため、室外光または室内光の入射角度が変化する場合であっても、回動スラットに保持されているソーラー電池の受光方向を入射角度に応じて調整でき、受光効率を高めにできる。
【００１７】
本発明の一視点よれば、スラットの開閉移動を案内するガイド部が設けられていることが好ましい。この場合、ガイド部は、固定ガイド部と、固定ガイド部に対して室外側に向けて回動可能な回動ガイド部とを有する。ここで、ソーラー電池の回動角度θは、回動スラットの室外側への回動角度θ１と、回動ガイド部の室外側への回動角度θ２とに基づいて構成されることが好ましい。この場合、ソーラー電池の回動角度θの絶対値が大きくなるため、太陽光等の室外光の受光に有利となる。更に、ソーラー電池の回動角度θの範囲内で、ソーラー電池の受光方向を調整でき、太陽光等の室外光や室内光の受光効率を調整できる。
【００１８】
（実施形態１）
以下、本発明の実施形態１について図１〜図６を参照して説明する。図面はあくまでも概念を示す図であり、細部の寸法等まで規定するものではない。スラット開閉装置としてのシャッタ装置は、オーニングシャッタ装置である。このシャッタ装置は、室外光等の光が透過できる透光部としての透光窓１０をもつ構造物１において、透光窓は透明ガラス、半透明ガラスなどのガラスまたは開口で形成できる。ガラスとしては無機ガラス、有機ガラスでも良い。シャッタ装置は、透光窓１０を覆うように配設される。構造物１の透光窓１０の上部には、基部２が設けられている。基部２は収容室２０を有する。更に、透光窓１０の左右の側方にはガイド部２３が設けられている。このガイド部２３は、ガイド部２３のうち相対的に下側に設けられた固定ガイド部２４と、ガイド部２３のうち相対的に上側に設けられた回動ガイド部２５とを有する。回動ガイド部２５の先端２５ｅは、図略のアクチュエータまたは手作業により、固定ガイド部２４に対して室外５１側に向けて矢印ＷＵ，ＷＤ方向に回動可能とされている。固定ガイド部２４および回動ガイド部２５には、これらの長さ方向に沿ってガイド溝が延設されて形成されている。
【００１９】
なお、回動ガイド部２５の先端２５ｅが矢印ＷＤ方向（室内５２側）に回動し、回動ガイド部２５が固定ガイド部２４の延長線状に配置される。このとき、固定ガイド部２４のガイド溝と回動ガイド部２５のガイド溝とは、互いに連通する。回動ガイド部２５の先端２５ｅが矢印ＷＵ方向（室外５１側）に回動したとき、固定ガイド部２４のガイド溝と回動ガイド部２５のガイド溝とは互いに連通しない状態となる。
【００２０】
図２は、スラット４で形成されたスラット群３の要部を示す。図２に示されるように、スラット４は、室外５１に対面する凸状をなす外壁面４０と、室内５２に対面する凹状をなす内壁面４１と、一端４ａ側に設けられた凸部４２と、一端４ａ側に設けられた回動軸４３と、他端４ｃ側に設けられた凹状の嵌合部４４を形成する舌部４５と、軸状をなす連結部４６とを有する。一端４ａは、スラット群３が透光窓１０を被覆して閉鎖するときに上端部となる。他端４ｃは、スラット群３が透光窓１０を被覆して閉鎖するときに下端部となる。スラット４のうち一端４ａと他端４ｃとの間には、連結部４６が形成されている。
【００２１】
図３に示されるように、巻取体５５は、軸芯Ｐ１回りで回転可能なほぼ円筒形状をなしており、巻取体５５を軸芯Ｐ１回りで回転させる駆動モータを有する駆動源５６を備える。基部２には、電気エネルギを蓄積できるキャパシタまたは蓄電池等の蓄電要素２８が収容されている。巻取体５５の軸芯Ｐ１は水平方向に沿っている。巻取体５５の軸長方向の両端部には、線状部材５７の長さ方向の一端５７ａが吊持されている。線状部材５７は、ガイド部２３（図１参照）に形成されているガイド溝に案内されて移動するものであり、ワイヤ、ロープ、チェーン等でほぼ直線状に形成されていることが好ましい。スラット群３は、構造物１の透光窓１０を被覆可能且つ開閉可能なシャッタカーテンを形成しており、水平方向（長手方向，矢印Ｌ方向）に沿って延設された複数のスラット４を一方向（矢印Ｕ方向，矢印Ｄ方向，高さ方向）に並設して形成されている。
【００２２】
スラット群３は、巻取体５５の外周部に巻き取りおよび巻き戻し可能に設けられている。すなわち、連結部４６は、各スラット４の長手方向（矢印Ｌ方向）の両端部に設けられている。スラット４の各連結部４６は線状部材５７にそれぞれ連結されている。従って、各スラット４は線状部材５７により巻取体５５に吊持されている。
【００２３】
ここで、駆動源５６が一方向に駆動して、巻取体５５が軸芯Ｐ１回りで一方向（矢印ＰＡ方向）に回転すると、線状部材５７は矢印Ｕ方向に上昇してスラット４と共に巻取体５５の外周部に巻き付けられる。この場合、構造物１の透光窓１０は開放される。これに対して駆動源５６が他方向に駆動して、巻取体５５が軸芯Ｐ１回りで他方向（矢印ＰＢ方向）に回転すると、線状部材５７は巻取体５５から巻き戻しされて矢印Ｄ方向に下降し、ひいては巻取体５５に巻き付けられていたスラット４は矢印Ｄ方向に下降する。この場合、構造物１の透光窓１０はスラット群３で閉鎖される。巻き戻しは、巻き状態を解除することを意味する。
【００２４】
なお本実施形態によれば、前述したように、複数のスラット４からなるスラット群３を巻取体５５の外周部に巻き取る方式とされているが、ソーラ電池６は破損しないようにされている。
【００２５】
また本実施形態によれば、線状部材５７を巻取体５５に巻き取るものの、複数のスラット４からなるスラット群３を巻取体５５の外周部に巻き取らない方式としてもよい。この場合においても、スラット４は上側で重ね合わせ状態に保持される。この場合においてもスラット４は回動可能とされている。
【００２６】
本実施形態によれば、スラット群３を構成するスラット４のうち全部が回動スラット４Ｒとされている。回動スラット４Ｒは、回動軸４３を中心として基部２に対して矢印ＲＵ方向（上向き），矢印ＲＤ方向（下向き）に回動可能に設けられており、ソーラー電池６を有する。スラット群３が透光窓１０を被覆して閉鎖しているとき、ソーラー電池６は、室内５２側、つまりスラット４の内壁面４１側に配置されている。ソーラー電池６は、受光に伴い光エネルギを電気エネルギを変換させて発生させて発電する。発電面積および発電量を増加させるため、ソーラー電池６は、スラット４の長手方向（矢印Ｌ方向）に沿って延設されていることが好ましい。ソーラー電池６は、スラット４のうち室内５２に指向する内壁面４１のうち５０％以上、６０％以上、７０％の面積を占めることが好ましい。但しこれに限定されるものではない。
【００２７】
図２に示されるように、作動部として機能するヒンジプレート部材７がスラット群３の隣接するように設けられている。ヒンジプレート部材７は、スラット４の長手方向（矢印Ｌ方向）の両端側に隣接するように設けられている。ヒンジプレート部材７は、スラット群３が開閉移動する方向（矢印Ｄ方向，矢印Ｕ方向）に沿って、すなわち、構造物１の高さ方向に沿って延設されている。ヒンジプレート部材７は金属、硬質樹脂またはセラミックスで形成されており、高さ方向に間隔を隔てて並設された複数のヒンジ溝７０を有する。通常時には、ヒンジプレート部材７はスラット群３から寸法Ｋ（図２参照）離れており、回動軸４３はヒンジ溝７０に係合していないため、ヒンジプレート部材７はスラット群３の開閉移動性を損なわない。この場合、ヒンジプレート部材７に対してスラット群３は矢印Ｕ方向に上昇したり、矢印Ｄ方向に下降したりでき、構造物１の透光窓１０を開閉できる。
【００２８】
連結部４６は線状部材５７に回動可能に連結されている。ここで、シャッタ装置がブラインド機能を発揮するとき、回動スラット４Ｒの他端４ｃ側は、回動軸４３を中心として矢印ＲＵ，ＲＤ方向に回動し、スラット最大回動量となる回動端とされている。すなわち、回動スラット４Ｒの回動端である他端４ｃは、回動初期において、回動軸４３を中心として室内５２向けて矢印ＲＵ方向（上向き）に回動する。このように回動スラット４Ｒが回動すれば、回動スラット４Ｒに保持されているソーラー電池６の受光面６０１の姿勢を調整できる。つまり、ソーラー電池６の受光面６０１の姿勢を、室内光ＬＢの入射角度および太陽光等の室外光ＬＡの入射角度に応じて調整でき、室内光ＬＢおよび太陽光等の室外光ＬＡの受光に有利である。この場合、ソーラー電池６の発電効率を高めることができる。
【００２９】
図３は、スラット群３を構成するスラット４が閉鎖位置となり、スラット群３が構造物１の透光窓１０を被覆して閉鎖している第１位置を示す。スラット群３は、透光窓１０に対面して覆っている。透光窓１０は、室外５１と室内５２とを仕切る。構造物１の透光窓１０を完全に被覆して閉鎖しているときには、高さ方向において隣設するスラット４同士については、嵌合部４４と凸部４２とが嵌合し、閉鎖性および防犯性が高められている。図３に示されるように、ヒンジプレート部材７はスラット群３から寸法Ｋ離れており、スラット群３の開閉移動性を損なわない。このようにヒンジプレート部材７がスラット群３から離れている場合、駆動源５６が駆動すれば、スラット群３は矢印Ｕ方向に上昇したり、矢印Ｄ方向に下降したりでき、構造物１の透光窓１０を開閉できる。
【００３０】
図３に示されるように、スラット群３が透光窓１０を閉鎖して遮蔽している第１位置によれば、回動スラット４Ｒに保持されているソーラー電池６は、太陽光等の室外光ＬＡを実質的に受光できず、太陽光等の室外光ＬＡに基づいて積極的に発電できない。また図３に示されるように、スラット群３が透光窓１０を閉鎖して遮蔽している第１位置によれば、室外５１に存在する室外者はスラット群３を透視できず、室内５２を視認することができない。このようにスラット群３が閉鎖位置に設定されているときには、回動スラット４Ｒに保持されているソーラー電池６は室外５１に指向せず、室内５２に指向している。このためソーラー電池６が室外者によって悪戯で破損されることが抑制され、ソーラー電池６に対する保護性が高められている。このように回動スラット４Ｒに保持されているソーラー電池６は、第１位置においては、室外５１に指向せず、室内５２に指向しているため、ソーラー電池６は室内光ＬＢを効果的に受光して発電することができる。このため夜間においても室外光で発電できる。
【００３１】
なお、シャッタ装置が全閉されているとき、前述したように高さ方向に隣設するスラット４同士の凸部４２と嵌合部４４とが嵌合するため、シャッタカーテンとして機能するスラット群３による防犯性を高めることができる。このようにシャッタ装置が全閉されているとき、スラット４のうち室内５２側の内壁面４１にはソーラー電池６が取り付けられているため、ソーラー電池６がスラット４の剛性を一層高めることを期待でき、防犯性を高めることを期待できる。
【００３２】
次に、上記したシャッタ装置をブラインドとして機能させる場合について説明する。スラット群３が矢印Ｄ方向に下降している状態のとき、アクチュエータ７５（図４参照）またはユーザの手作業により、退避位置ＸＡ（図４参照）で待機しているヒンジプレート部材７を、スラット群３に接近させる方向（矢印Ｅ１方向）に移動させてセット位置ＸＢにセットさせる。このようにヒンジプレート部材７をセット位置ＸＢにセットさせた状態で、駆動源５６を駆動させて線状部材５７を矢印Ｕ方向（上方，巻き付け方向）に持ち上げて移動させれば、図４に示されるように、スラット群３を構成するスラット４も同方向、つまり、矢印Ｕ方向（上方，巻き付け方向）に移動する。
【００３３】
この結果、図５から理解できるように、ヒンジプレート部材７の各ヒンジ溝７０に各回動スラット４Ｒの回動軸４３が引っかかって係合する。この状態で、駆動源５６を適量駆動させて線状部材５７を矢印Ｕ方向（上方，巻き付け方向）に適量移動させれば、図４および図５に示されるように、回動スラット４Ｒの他端４ｃ（嵌合部４４）は回動軸４３を中心として矢印ＲＵ方向（上方）に回動する。なおアクチュエータ７５として空気圧シリンダ、油圧シリンダ等の流体圧シリンダ装置、モータ装置が例示される。
【００３４】
上記したようにヒンジプレート部材７がスラット群３に接近すれば、ヒンジプレート部材７のヒンジ溝７０に回動スラット４Ｒの回動軸４３を係合させることができる。ひいては、回動スラット４Ｒを矢印ＲＵ方向（上方）に回動できる。回動スラット４Ｒの回動量は、ヒンジプレート部材７のヒンジ溝７０と回動スラット４Ｒの回動軸４３とが係合してから、駆動源５６が駆動する駆動量（モータ回転量）、すなわち、線状部材５７の上昇量に基づいて決定される。従って駆動源５６はパルスモータとすることが好ましい。この場合、駆動源５６に給電されるパルス数に応じて、駆動源５６の回動量が決定される。従って駆動源５６に給電されるパルス数に応じて、ソーラー電池６の姿勢が調整される。故に、ソーラー電池６の回動角度を大きくさせるためには、駆動源５６に給電されるパルス数を増加させればよい。ソーラー電池６の回動角度を小さくさせるためには、駆動源５６に給電されるパルス数を減少させればよいか、あるいは、ソーラー電池６の回動角度を大きくさせた後に、駆動源５６を逆回転させれば良い。
【００３５】
すなわち、図４および図５は、回動スラット４Ｒが矢印ＲＵ方向に回動するに伴い、回動スラット４Ｒのソーラー電池６が太陽光等の室外光ＬＡを受光するように、回動スラット４Ｒのソーラー電池が室外５１側に指向する第２位置に切替られている状態を示す。この場合、閉鎖状態の回動スラット４Ｒの下端である回動端および嵌合部４４は、回動初期において、回動軸４３を中心として室内５２側において室内５２側に近づくように矢印ＲＵ方向（上向き）に回動し、その後、回動スラット４Ｒの下端である回動端および嵌合部４４は室外５１に近づくように回動する。この結果、回動スラット４Ｒ間には透光空間４９が形成されている。図４および図５に示されるように、太陽光等の室外光ＬＡは、室外５１から室内５２に向けて、スラット群３の透光空間４９を透過して回動スラット４Ｒのソーラー電池６の受光面６０１に入射できる。
【００３６】
上記したように回動スラット４Ｒが回動軸４３を中心として上下方向において回動すれば、回動スラット４Ｒのソーラー電池６の受光面６０１の姿勢を調整できる。ここで、回動スラット４Ｒの回動量に相当するソーラー電池６の法線（受光面６０１に対して垂直方向）の方向は、前述の記載から理解できるように、ヒンジプレート部材７のヒンジ溝７０と回動スラット４Ｒの回動軸４３とが係合してから、駆動源５６が駆動する駆動量（モータ回転量）、すなわち、線状部材５７の上昇量で決定される。換言すると、駆動源５６が駆動する駆動量（モータ回転量）、すなわち、線状部材５７の上昇量に基づいて、ソーラー電池６の受光面６０１の法線の方向を、太陽光等の室外光ＬＡの入射角度、室内光ＬＢの入射角度に応じて任意に調整することができる。ひいては室内光ＬＢ等の室外光ＬＡの受光効率および室内光ＬＢの受光効率を高めるのに有利である。この場合、ソーラー電池６の発電効率を高めることができる。
【００３７】
また図４および図５に示されるように、回動スラット４Ｒの他端４ｃが矢印ＲＵ方向（上向き）に回動しているときには、前述したように、高さ方向において互いに隣設する回動スラット４Ｒ間には、透光空間４９が形成される。ここで、ソーラー電池６の種類によっては、ソーラー電池６は昇温されると、発電効率を低下させるおそれがある。この点本実施形態によれば、上記した回動スラット４Ｒ間に形成される透光空間４９は通風空間でもあるため、風による空気流は回動スラット４Ｒ間の透光空間４９を通過できる。この場合、回動スラット４Ｒに保持されているソーラー電池６を風による空気流によって積極的に冷却できる。従って通風によってソーラー電池６の発電効率を高めることができる利点が得られる。すなわち、透光空間４９は、太陽光等の室外光ＬＡをソーラー電池６の受光面６０１に入射させる機能と、通風によりソーラー電池６の冷却を促進させる機能とを果たす。
【００３８】
更に図４に示されるように、回動スラット４Ｒが矢印ＲＵ方向に回動しているときには、回動スラット４Ｒの他端４ｃ（嵌合部４４および舌部４５）は室内５２側に向かうにつれて上側に位置するように傾斜する。このため、室外者が透光空間４９を介して室内５２を矢印Ｅ３方向に直視するとき、直視性を低下させることができる。従って、ソーラー電池６で発電させつつも、室外者による覗き込みを抑制でき、室内５２側のプライバシーの保護性を高めることができる利点が得られる。
【００３９】
次に、図６はオーニングシャッタとして使用した状態を模式的に示す。図６に示されるように、回動ガイド部２５に対して回動スラット４Ｒを図略のアクチュエータまたは手作業により矢印ＲＵ方向に回動させつつ、回動ガイド部２５を室外５１に向けて矢印ＷＵ方向に回動させた状態を示す。図６に示されるように、オーニングシャッタとして使用しているときには、前述したように、高さ方向において互いに隣設する回動スラット４Ｒ間には透光空間４９がそれぞれ形成される。この場合、木漏れ日等のように、太陽光を透光空間４９に透過させることができる。
【００４０】
更に、図６に示されるように、太陽光等の室外光ＬＡはスラット群３の透光空間４９を透過して回動スラット４Ｒのソーラー電池６に入射できる。このためソーラー電池６は太陽光等の室外光ＬＡに基づいて発電できる。また、スラット群３の透光空間４９は通風空間でもあるため、風による空気流は回動スラット４Ｒ間の透光空間４９を通過でき、回動スラット４Ｒに保持されているソーラー電池６を、風による空気流によって積極的に冷却できる。従って、通風によってソーラー電池６の発電効率を高めることができる利点が得られる。すなわち、スラット群３における透光空間４９は、太陽光等の室外光ＬＡをソーラー電池６に入射させる機能と、通風によりソーラー電池６の冷却を促進させる機能とを果たす。
【００４１】
図６に示されるように、スラット群３をもつ回動ガイド部２５を、基部側の固定ガイド部２４に対して室外５１側に向けて角度θ２で回動しているときの状態において、線状部材５７を巻取体５５に巻き付ければ、回動ガイド部２５に保持されている回動スラット４Ｒは、回動軸４３を中心として矢印ＲＵ方向に回動する。
【００４２】
ここで、回動スラット４Ｒに保持されているソーラー電池６の回動角度をθとする。回動軸４３を中心として回動スラット４Ｒが回動ガイド部２５に対して室外５１側へ回動する回動角度をθ１とする。固定ガイド部２４に対して回動ガイド部２５を室外５１側へ回動させる回動角度をθ２とする。このとき、ソーラー電池６自体の合計回動角度θは、基本的には、回動角度θ１と回動角度θ２とを加算した角度に基づく（θ＝θ１＋θ２）。
【００４３】
このようにθ＝θ１＋θ２の関係が得られるため、回動スラット４Ｒに保持されているソーラー電池６を室外５１側に回動させる回動角度θを大きくさせることができる。更に回動角度θの範囲内で、ソーラー電池６の回動角度を調整できるため、太陽光等の室外光ＬＡ、室内光ＬＢの入射角度に応じてソーラー電池６の姿勢を調整でき、受光効率を高めて発電効率を高めることができる。なお、オーニングシャッタとして使用される場合には、図６に示されるように、スラット群３の最下端が回動ガイド部２５の先端２５ｅよりも上方に位置しているとき、回動ガイド部２５の先端２５ｅを矢印ＷＵ方向（上向き）に回動させることが好ましい。
【００４４】
（実施形態２）
図７（Ａ）（Ｂ）は実施形態２を示す。本実施形態は実施形態１と基本的には同様の構成および同様の作用効果を有するため、図１〜図６を準用できる。以下、相違する部分を中心として説明する。ガイド部２３は、相対的に下側に設けられた固定ガイド部２４と、相対的に上側に設けられた回動ガイド部２５とを有する。回動ガイド部２５は、第１枢支部８１ｆを中心として、固定ガイド部２４に対して室外５１側に向けて矢印ＷＵ，ＷＤ方向に回動可能とされている。
【００４５】
更に説明を加える。アクチュエータ８０は、基部２に設けられている固定ガイド部２４に高さ方向に回動可能に第２枢支部８２ｓにより枢支されており、空気圧シリンダまたは油圧シリンダ等の流体圧シリンダで形成されている。アクチュエータ８０は、固定ガイド部２４に第２枢支部８１ｓを介して矢印Ｆ１，Ｆ２方向に回動可能に枢支されたアクチュエータ本体８２と、アクチュエータ本体８２から矢印Ｗ１，Ｗ２方向（アクチュエータ本体８２の延長線に沿った方向）に伸縮可能に設けられた伸縮ロッド部８３と、伸縮ロッド部８３に揺動可能に第３枢支部８１ｔを介して回動可能に枢支された揺動アーム８４とを有する。揺動アーム８４は、第４枢支部８１ｈを介して互いに揺動可能に設けられた第１アーム８４ｆおよび第２アーム８４ｓを有する。第１アーム８４ｆの端部は第５枢支部８４ｘを介して回動可能にガイド部２３に枢支されている。
【００４６】
ここで、アクチュエータ本体８２が一方向に作動して伸縮ロッド部８３が矢印Ｗ１方向に伸張すると、図７（Ａ）に示されるように、第４枢支部８１ｈを介して第１アーム８４ｆおよび第２アーム８４ｓがほぼ一直線状に開放し、ひいては、回動ガイド部２５が第１枢支部８１ｆを中心として矢印ＷＵ方向（上向き）に回動し、固定ガイド部２４に対して開放方向に回動し、屋根状となる。これに対して、アクチュエータ本体８２が他方向に作動して伸縮ロッド部８３が矢印Ｗ２方向に収縮すると、第１アーム８４ｆおよび第２アーム８４ｓが第４枢支部８１ｈを介して折り畳まれる。ひいては、回動ガイド部２５が第１枢支部８１ｆを中心として矢印ＷＤ方向に下降して固定ガイド部２４とほぼ平行に沿うように退避する。
【００４７】
このようにしてアクチュエータ８０の作動に伴い、回動ガイド部２５が室外５１側に矢印ＷＵ方向に回動する。図示はしないものの回動ガイド部２５にはスラット群３が移動可能に保持されている。上記したように回動ガイド部２５が第１枢支部８１ｆを中心として固定ガイド部２４に対して回動しているとき状態において、線状部材５７を巻取体５５に巻き付ければ、回動ガイド部２５に保持されている回動スラット４Ｒは回動する。
【００４８】
このとき、回動スラット４Ｒに保持されているソーラー電池６の回動角度をθとする。回動スラット４Ｒを回動ガイド部２５に対して室外５１側へ回動させる回動角度をθ１とする。更に、固定ガイド部２４に対して回動ガイド部２５を室外５１側へ回動させる回動角度をθ２とする。このとき、ソーラー電池６の回動角度θは、基本的には回動角度θ１と回動角度θ２とを加算した角度となる（θ＝θ１＋θ２）。このようにθ＝θ１＋θ２の関係が得られる。このため、回動スラット４Ｒに保持されているソーラー電池６を室外５１側に回動させる回動角度θを大きくさせることができる。
【００４９】
（実施形態３）
図８は実施形態３を示す。本実施形態は実施形態１，２と基本的には同様の構成および同様の作用効果を有するため、図１〜図７を準用できる。以下、相違する部分を中心として説明する。図８に示すスラット開閉装置は、オーニングシャッタ装置ではなく、構造物１に形成されている人または車両等の出入り用の開口１０Ｄ（透光部）を開閉させる通常のシャッタ装置に適用されている。
【００５０】
構造物１の開口１０Ｄの上部には基部２が配置されている。図８は室外５１側からシャッタ装置を視認した状態を示す。スラット群３は、複数のスラット４を高さ方向（矢印Ｕ方向，矢印Ｄ方向）に並設して形成されており、透光部としての開口１０Ｄを閉鎖している。基部２の収容室２０には、横軸型の巻取体５５が収容され、更に、巻取体５５をこれの軸芯Ｐ１回りで回転駆動させる駆動源５６が収容されている。ガイド部２３はスラット４の長手方向（矢印Ｌ方向）の両端側に配置されており、高さ方向に沿って延設されている。ガイド部２３のガイド溝に沿って線状部材５７が昇降できる。このように線状部材５７が昇降し、線状部材５７に連結されている各スラット４は同方向に昇降する。これにより構造物１の開口１０Ｄが開閉される。図示はしないものの、回動スラット４Ｒのうち室内側に指向する内壁面にはソーラー電池が保持されている。
【００５１】
図８に示されるように、基部２の収容室２０には巻取体５５が横軸形に収容されている。駆動源５６および蓄電要素２８は、巻取体５５と同軸的に巻取体５５の長手方向（矢印Ｌ方向）の一端部に保持されている。蓄電要素２８に蓄電された電力は、蓄電要素に隣設する駆動源５６の駆動力として使用される。また、蓄電要素２８に蓄電された電力は、回動ガイド部２５を室外側に向けて回動させてオーニング機能を発揮させるアクチュエータの駆動力として使用されることにしても良い。この場合、商用電源と駆動源５６とを繋ぐ給電用配線、および／または、商用電源とアクチュエータ８０とを繋ぐ給電用配線を廃止することもできる。更に蓄電要素２８に蓄電された電力は、ソーラー電池で発電させる室内光を点灯させる光源の電力として使用されることにしても良い。
【００５２】
（実施形態４）
図９は実施形態４を示す。本実施形態は実施形態１〜３と基本的には同様の構成および同様の作用効果を有するため、図１〜図８を準用できる。以下、相違する部分を中心として説明する。図９に示されるように、スラット４は、長手方向（矢印Ｌ方向）に延びるスラット本体４００と、スラット本体４００の長手方向の両端部に嵌合して取り付けられるキャップ空間４１５をもつキャップ４１０とを有する。スラット本体４００は、一端４ａ側に形成された凸部４２と、他端４ｃ側に形成された嵌合部４４を形成する舌部４５と、室外５１に対面する凸状をなす外壁面４０と、室内５２に対面する凹状をなす内壁面４１と、スラット本体４００の内部に形成された空洞状をなす中空室４７と、中空室４７に連通するように内壁面４１に形成された取付凹状部４８とを有する。
【００５３】
スラット本体４００は、これの長手方向（矢印Ｌ方向）に金属素材（例えばアルミニウム合金、炭素鋼、合金鋼）を押出成形または引抜成形することにより形成されており、長手方向（矢印Ｌ方向）にわたり同一または酷似の断面形状を有する。従って、凸部４２、外壁面４０、内壁面４１、嵌合部４４、舌部４５、取付凹状部４８は、スラット本体４００の長手方向（矢印Ｌ方向）に沿って延設されている。なお場合によってはスラット本体４００は硬質樹脂としても良い
図９に示されるように、スラット本体４００の内壁面４１には、外壁面４０に向けて窪んでいる取付凹状部４８が形成されている。ソーラー電池６が取付凹状部４８内に収容されるように、ソーラー電池６が図略の組付具により組み付けられている。ソーラー電池６の受光面６０１は、スラット４の内壁面４１の曲率にほぼ整合しつつ、内壁面４１の延長線４１ｒよりも寸法Ｗ３分、外壁面４０に向けて退避するように凹んでいる。このため、スラット群３を巻取体５５の外周部にロール状に巻き取ったときであっても、ソーラー電池６の受光面６０１の保護性を高めることができる。スラット群３が閉鎖状態に維持されているとき、ソーラー電池６の受光面６０１は、室内光ＬＢを受光して発電できるように室内側に指向している。
【００５４】
両方のキャップ４１０には、線状部材５７Ｅに連結される連結部４６と、前記したヒンジ溝に係合して回動中心を形成させる回動軸４３とが長手方向（矢印Ｌ方向）に突出して形成されている。連結部４６は、中央孔４６ｍをもつ筒形状とされている。線状部材５７Ｅは中央孔５７ｍをもつ可撓性を有するパイプ状に形成されている。そして、スラット本体４００に組み付けられたソーラー電池６の配線６７０（＋線および−線）は、撓み性を高めるようにコイル６７１を部分的に形成しており、スラット本体４００の中空室４７およびキャップ４１０の中空室を通り、連結部４６の中央孔４６ｍを通過し、更に、線状部材５７の中央孔５７ｍに挿入されており、蓄電要素２８まで接続されている。これによりソーラー電池６で発電された電気エネルギは収容室２０側の蓄電要素２８に蓄積される。
【００５５】
（実施形態５）
図１０は実施形態５を示す。本実施形態は実施形態１〜４と基本的には同様の構成および同様の作用効果を有するため、図１〜図９を準用できる。以下、相違する部分を中心として説明する。図１０に示されるように、スラット本体４００の室内５２側に指向する内壁面４１には、室外５１側に溝状に凹ませた構造をもつ取付凹状部４８が形成されている。ソーラー電池６Ｅが取付凹状部４８内に収容されるように、ソーラー電池６Ｅが図略の組付具により取付凹状部４８の底壁４８ｃに固定されて組み付けられている。
【００５６】
ソーラー電池６Ｅの受光面６０１は、内壁面４１の延長線よりも寸法Ｗ３分、外壁面４０に向けて退避している。このため、スラット群３を巻取体５５の外周部にロール状に巻き付けたときであっても、ソーラー電池６Ｅの保護性を高めることができる。更に図１０に示されるように、回動スラット４Ｒのうち室内５２側には係止部４５０，４５１が取付凹状部４８の縁部に位置するように形成されている。係止部４５０，４５１には、硬質樹脂または金属等で形成された網状またはグリル状の保護部材４６０が着脱可能に取り付けられている。保護部材４６０は、光を通過させる開口４６１および遮蔽部４６２を有する。回動スラット４Ｒを巻取体にロール状に巻き取るとき等において、保護部材４６０はソーラー電池６Ｅの受光面６０１を保護できる。場合によっては保護部材４６０を廃止しても良い。
【００５７】
スラット群３が閉鎖状態に維持されているとき、ソーラー電池６Ｅの受光面６０１は室内光ＬＢを受光して発電できるように室内５２側に指向している。スラット４のうち室内５２側の内壁面４１にはソーラー電池６Ｅが取り付けられているため、ソーラー電池６Ｅがスラット４の剛性を一層高めることを期待でき、防犯性を高めることを期待できる。スラット本体４００にはこれの長手方向に延びる中空室４７が形成されているため、軽量化を図ることができる。この場合、ソーラー電池６Ｅの搭載による重量増加を軽減できる。
【００５８】
ソーラー電池６Ｅは色素増感型ソーラー電池である。図１０に示されるように、このソーラー電池６Ｅは、基板６００と、基板６００の搭載面６０２に形成された透明導電膜６０３と、基板６００の搭載面６０２側に設けられた色素増感型の複数のセル６０５で形成されたセル群６０９と、基板６００の搭載面６０２側に設けられた第１外周シール部６１０と、電解質室６１１に収容された電解質６１３と、基板６００の搭載面６０２側に設けられた膜状をなす第１バックシート部６２１と、基板６００の搭載面６０２側に設けられ第２外周シール部６１２と、基板６００の搭載面６０２側に設けられた膜状をなす第２バックシート部６２２とを有する。
【００５９】
基板６００は光透過性をもち、光が入射される受光面６０１と、受光面６０１に対して反対側に形成された搭載面６０２とを有する。基板６００は無機ガラスでもよいし、有機ガラスでも良い。透明導電膜６０３の材質は、フッ素またはアンチモンをドープの酸化錫、インジウムに酸化錫に置換固溶させたＩＴＯが例示される。透明導電膜６０３には絶縁溝６０３ｃが形成されており、これにより透明導電膜６０３の連続性が切断され、透明導電膜６０３の連続導電性が切断されている。絶縁溝６０３ｃにより各セル６０５の電気絶縁性が高められ、基板６００上における各セル６０５の直列接続が可能となる。この場合、隣設するセル６０５同士は、後述する対向電極６０８を介して電気的に接続されている。
【００６０】
セル６０５は、透明導電膜６０３に互いに間隔を隔てて配置された複数配置されており、セル群６０９を形成する。単数のセル６０５は、透明導電膜６０３に積層された受光用の光極６０６と、光極６０６に積層されたセパレータ６０７と、セパレータ６０７に積層された対向電極６０８とを有する。光極６０６は、基板６００の受光面６０１から入射した光を受光できるものである。光極６０６は、Ｎ型半導体（アナターゼ型酸化チタン）に光増感色素（光照射により電子放出性をもつ）を担持させて形成されていることが好ましい。セパレータ６０７は光極６０６と対向電極６０８との間に介在しており、ルチル型の酸化チタンの多孔質体で形成されていることが好ましい。対向電極６０８は光極６０６に対して所定の間隔を隔てて配置されている。対向電極６０８は、ハロゲンであるヨウ素に対して高い耐食性および導電性をもつカーボン系の微粒子の集合体、或いは、金属材料で形成されていることが好ましい。金属としては、チタン、タンタル、ニオブ、タングステン、白金などを例示できる。この場合、隣設するセル同士は、対向電極を介して電気的に接続されている。
【００６１】
図１０に示されるように、隣設するセル６０５同士は、隔壁として機能するリブ状の中間シール部６３０で仕切られている。第１外周シール部６１０は、基板６００の搭載面６０２側において、複数のセル６０５で形成されたセル群６０９の外側を１周するように包囲する。第１外周シール部６１０および中間シール部６３０は、電解質６１３に対して化学的に安定で且つ電解質６１３に有害な物質を溶出させない材料が形成されていることが好ましい。例えば、ポリイソブチレン系、ポリプロピレン系、ポリエチレン系などのポリオレフィン系材料、または、それらの共重合体等が挙げられる。ここで、第１外周シール部６１０および中間シール部６３０は、これらのポリオレフィン系材料に接着官能基を導入させた変性ポリオレフィン系材料で形成されていることが好ましい。具体的には、接着官能基としてカルボキシル基等を導入した変性（接着性）低密度ポリエチレンで形成されていることが好ましい。
【００６２】
図１０に示されるように、電解質室６１１には、流動性を有する電解質６１３が収容される。電解質６１３は、電解質物質を溶媒に溶解させた電解液とすることができる。この場合、溶媒としては、アセトニトリル、メトキシアセトニトリル、プロピロニトリル等のニトリル化合物を用いることができ、あるいは、エチレンカーボネート、プロピレンカーボネート、ブチレンカーボネートなどの溶媒またはこれらの混合溶媒を用いることができる。また、電解質としては、固体状電解質としても良い。電解質５はハロゲンイオン（ヨウ素イオン）を含む。
【００６３】
図１０に示されるように、第１バックシート部６２１は、電解質室６１１に収容されている電解質６１３が洩れないように電解質６１３を保持する電解質保持用であり、従って電解質室６１１をシールする。電気絶縁性およびガスバリヤ性を考慮すると、第１バックシート部６２１の母材は、ポリエチレンナフタレート（PEN）、ボリエチレンテレテタレート(PET)、ポリブチレンテレフタレート（PBT）またはポリブチレンナフタレート（PBN）が好ましい。図１０に示されるように、第２外周シール部６１０は、基板６００の搭載面６０２側において、第１外周シール部６１０の外側（外周側）を１周するように包囲するように枠状をなす。第２外周シール部６１２は、水蒸気透過及びガス透過に対して高いバリヤ性を有する材料で形成することが好ましい。具体的には、第２外周シール部６１２は、ブチルゴムで形成されているが、ウレタンゴム、クロロスルホン化ポリエチレン、ニトリルゴムなどで形成しても良い。これらも水蒸気バリヤ性およびガスバリヤ性が低いためである。
【００６４】
第２バックシート部６２２は、外部の水蒸気（液相としての水も含む）が電解質室６１１に進入することを抑える水蒸気バリヤ用であり、第１バックシート部６２１の全体を外側から覆うように配置されている。第２バックシート部６２２は水蒸気バリヤ性を高める膜であるため、高い水蒸気バリヤ性を有する金属を母材として形成されている。金属は、高分子材料よりも高い水蒸気バリヤ性を発揮できるものが好ましく、アルミニウム金属層、ニッケル層等で形成されていることが好ましい。アルミニウムは純アルミニウムでも良いし、アルミニウム合金でも良い。このように第２バックシート部６２２は金属で形成されているため、第１バックシート部６２１よりも高い水蒸気バリヤ性を発揮する。故に、色素増感型ソーラー電池の内部への水蒸気進入が長期にわたり抑制される。よって、電解質室６１１に保持されている電解質６１３、セル６０５等の性質の変化が抑制される。
【００６５】
図１０に示されるように、第２バックシート部６２２は、回動スラット４Ｒのうちスラット本体４００の取付凹状部４８の底壁４８ｃにおいて、衝撃緩和機能を有する軟質の緩衝層４８２で接着されて保持されている。更に、緩衝層４８２の部分４８２ａ，４２８ｃは、基板６００の側も弾性支持している。従ってシャッタ装置が作動するときにおいて、スラット４に保持されているソーラー電池６Ｅに衝撃が作用することが抑制され、ソーラー電池６Ｅの長寿命化に貢献できる。なお、図１１はスラット巻き付け構造の従来構造を示す。従来構造では、図１１に示されているように、スラット４Ｘを形成するスラット群３Ｘは、基部２Ｘの収容室２０Ｘにおいて巻取体５５Ｘの外周部にロール状に巻き取られている。
【００６６】
本実施形態によれば、スラット本体４００がロール状に巻取体に巻き取られるときであっても、スラット本体４００の取付凹状部４８に収容されているソーラー電池６Ｅの保護性を高め得る。スラット本体４００はこれの長手方向に沿って金属素材を押し出し成形または引き抜き成形することにより形成できるため、外壁面４０，内壁面４１および中空室４７を成形すると同時に取付凹状部４８を簡便に成形できる。なお、ソーラー電池としては、色素増感型に限定されず、公知のものを採用でき、色素増感型、有機薄膜型、シリコン型、化合物型等の公知のソーラー電池を例示できる。
【００６７】
（その他）
実施形態１では、巻取体５５にスラット４をロール状に巻き取ることにしているが、これに限らず、巻取体５５にスラット４をロール状に巻き取る方式を採用せずに、複数のスラット４を互いに上下に重ねてまとめた状態で上昇させてスラット群３を開放させても良い。この場合、スラット群３を下降させるためには、高さ方向において隣設するスラット４同士を離間させる。実施形態１では、ヒンジ溝７０を有するヒンジプレート部材７０が作動部として設けられているが、これに限らず、作動部は他の構造としても良い。スラット４は、室外５１に対面する凸状をなす外壁面４０と、室内５２に対面する凹状をなす内壁面４１とを有するが、これに限らず、外壁面４０は凹状でも良いし、内壁面４１は凸状でも良く、スラットの断面形状は特に限定されない。
上記した実施形態によれば、回動スラット４Ｒが回動軸４３を中心として上下方向において回動することにより、回動スラット４Ｒのソーラー電池６の受光面６０１の姿勢を調整できる。これに限らず、回動スラット４Ｒが回動軸４３を中心として水平方向に沿って回動することにより、回動スラット４Ｒのソーラー電池６の受光面６０１の姿勢を調整できるようにしても良い。本発明は上記し且つ図面に示した実施形態のみに限定されるものではなく、要旨を逸脱しない範囲内で適宜変更して実施できる。上記した明細書から次の技術的思想も把握できる。
【００６８】
［付記項１］光が透過できる透光部をもつ構造物に配設される基部と、基部に保持され、複数のスラットを一方向に並設して形成され構造物の透光部を閉鎖可能なスラット群と、スラット群のうち少なくとも一枚のスラットに保持され受光に伴い電気エネルギを発生させるソーラー電池を備えるスラット開閉装置。スラットに保持されているソーラー電池は、受光に伴い電気エネルギを発生させる。シャッタ閉鎖時に室内側に指向する壁面に、ソーラー電池が組み付けられていることが好ましい。
【００６９】
［付記項２］光が透過できる透光部をもつ構造物に配設される基部と、基部に保持され、複数のスラットを一方向に並設して形成され、スラット群のうち少なくとも一枚のスラットを基部に対して回動させる回動スラットとし、構造物の透光部を閉鎖可能なスラット群と、スラットに保持され受光に伴い電気エネルギを発生させるソーラー電池を備えるスラット開閉装置。スラットに保持されているソーラー電池は、受光に伴い電気エネルギを発生させる。
【００７０】
［付記項３］シャッタ閉鎖時に室内側に指向する内壁面に、室内光等の光の受光に伴い電気エネルギを発生させるソーラー電池を備えるスラット。このスラットはシャッタ装置またはブラインド装置に適用できる。
【産業上の利用可能性】
【００７１】
本発明は、例えば、オーニング機能を有するシャッタ装置、オーニング機能を有しないシャッタ装置、シャッタ機能を有しないものの光入射機能を有するブラインド装置等に利用することができる。
【符号の説明】
【００７２】
１は構造物、１０は透光窓（透光部）、２は基部、２０は収容室、２３はガイド部、２４は固定ガイド部、２５は回動ガイド部、３はスラット群、４Ｒは回動スラット、４はスラット、４００はスラット本体、４１０はキャップ、４０は外壁面、４１は内壁面、４２は凸部、４３は回動軸、４４は嵌合部、４５は舌部、４６は連結部、４ａは一端、４ｃは他端、５１は室外、５２は室内、５５は巻取体、５６は駆動源、５７は線状部材、６はソーラー電池、７はヒンジプレート部材（作動部）、７０はヒンジ溝、８０はアクチュエータ、８２はアクチュエータ本体、８３は伸縮ロッド部、８４は揺動アーム、ＬＡは室外光、ＬＢは室内光を示す。
【図１】
2011064036.tif 000003
【図２】
2011064036.tif 000004
【図３】
2011064036.tif 000005
【図４】
2011064036.tif 000006
【図５】
2011064036.tif 000007
【図６】
2011064036.tif 000008
【図７】
2011064036.tif 000009
【図８】
2011064036.tif 000010
【図９】
2011064036.tif 000011
【図１０】
2011064036.tif 000012
【図１１】
2011064036.tif 000013